(57)【特許請求の範囲】
【請求項１】
画面上に再生画像を表示する画像表示装置において、画面上に同時再生するｎ枚の画像のフレームを階層状に重ね合わせて表示させるとともに、前記ｎ枚の画像のフレームサイズを手前のフレームになるにつれて小さくして表示させることを特徴とするマルチ画面表示方法。
【請求項２】
隣接するフレームのずらし幅が手前のフレームになるにつれて広くなるように前記ｎ枚の画像のフレームを階層状に重ね合わせて表示させることを特徴とする請求項１記載のマルチ画面表示方法。
【請求項３】
前記ｎ枚の画像のずらし幅部分の面積はほぼ等しいことを特徴とする請求項２記載のマルチ画面表示方法。
【請求項４】
画面上に再生画像を表示する画像表示装置において、
画面上に同時再生するｎ枚の画像のフレームを階層状に重ね合わせて表示させる表示制御手段を備え、
前記表示制御手段は、
前記ｎ枚の画像のフレームサイズを各々異なる倍率を用いて変換する画像サイズ変換手段と、
この画像サイズ変換手段によりフレームサイズが変換されたｎ枚の画像を、フレームサイズが小さいフレームほど手前側となるように重畳させる重畳手段とを含み、
この重畳手段により得られた重畳画像を表示させることを特徴とする画像表示装置。
【請求項５】
隣接するフレームのずらし幅が手前のフレームになるにつれて広くなるように前記ｎ枚の画像各々に対する倍率を決定する倍率決定手段を備え、
前記画像サイズ変換手段は、前記倍率決定手段により決定された各々の画像に対する倍率を用いて前記ｎ枚の画像のフレームサイズを変換することを特徴とする請求項４記載の画像表示装置。
【請求項６】
前記倍率決定手段は、隣接するフレームのずらし幅が手前のフレームになるにつれて広くなり、且つ前記ｎ枚の画像のずらし幅部分の面積がほぼ等しくなるように前記ｎ枚の画像各々に対する倍率を決定する手段を含むことを特徴とする請求項５記載の画像表示装置。
【請求項７】
画面上に同時再生する画像の枚数ｎに基づいて前記ｎ枚の画像各々に対する倍率を決定する倍率決定手段を備え、
前記画像サイズ変換手段は、前記倍率決定手段により決定された各々の画像に対する倍率を用いて前記ｎ枚の画像のフレームサイズを変換することを特徴とする請求項４記載の画像表示装置。
【請求項８】
前記重畳手段は、隣接するフレームを重畳させる際、手前のフレームの全体が奥のフレームと重なるように重畳させることを特徴とする請求項４乃至７のいずれかに記載の画像表示装置。
【請求項９】
前記表示制御手段により表示されているｎ枚の画像の中から所望の画像を選択する選択手段と、この選択手段により選択された画像を画面上にフルサイズで表示する選択画像表示手段とを備えることを特徴とする請求項４乃至８のいずれかに記載の画像表示装置。
【請求項１０】
被写体を撮像し、撮像画像を出力する撮像手段を備え、前記ｎ枚の画像は、前記撮像手段から出力された撮像画像であることを特徴とする請求項４乃至９のいずれかに記載の画像表示装置。
【発明の詳細な説明】
【０００１】
【発明の属する技術分野】
本発明は、デジタルカメラ等の画像表示装置のマルチ画面表示技術に関する。
【０００２】
【従来の技術】
従来、デジタルカメラ等の画像表示装置では検索時等に図８（ａ）に示すように１画面に１個の画像を表示するものと、図８（ｂ）に示すように画面をｎ（ｎ＝４，９，・・）分割して分割画に縮小されたｎ個の画面を表示するマルチ画面表示を行なうものがある。
【０００３】
【発明が解決しようとする課題】
上記１画面に１個の画像を表示する方式では１画面ずつ早送りしながら検索を行なう必要があり煩わしいが、上記マルチ画面表示方式では同時に複数の画像を表示できるので、検索結果として複数の候補画像が検索された場合や、画像と画像を対比させて見る場合に便利である。
【０００４】
しかし、表示する画像数が多くなればなるほど画面が細分化され、結果として画面が見づらくなるという不都合が生ずるので、分割画面数が４或いは９といった少ない数に制約されるといった問題点があった。
【０００５】
本発明は上記問題点を解決するためになされたのもであり、画面を分割することなしに複数画像を表示するマルチ画面表示方法および画像表示装置の提供を目的とする。
【０００６】
【課題を解決するための手段】
上記の目的を達成するために、第１の発明のマルチ画面表示方法は、画面上に再生画像を表示する画像表示装置において、画面上に同時再生するｎ枚の画像のフレームを階層状に重ね合わせて表示させるとともに、前記ｎ枚の画像のフレームサイズを手前のフレームになるにつれて小さくして表示させることを特徴とする。
第２の発明は上記第１の発明のマルチ画面表示方法において、隣接するフレームのずらし幅が手前のフレームになるにつれて広くなるように前記ｎ枚の画像のフレームを階層状に重ね合わせて表示させることを特徴とする。
【０００７】
第３の発明は上記第２の発明のマルチ画面表示方法において、前記ｎ枚の画像のずらし幅部分の面積はほぼ等しいことを特徴とする。
【０００８】
第４の発明の画像表示装置は、画面上に再生画像を表示する画像表示装置において、  画面上に同時再生するｎ枚の画像のフレームを階層状に重ね合わせて表示させる表示制御手段を備え、前記表示制御手段は、前記ｎ枚の画像のフレームサイズを各々異なる倍率を用いて変換する画像サイズ変換手段と、この画像サイズ変換手段によりフレームサイズが変換されたｎ枚の画像を、フレームサイズが小さいフレームほど手前側となるように重畳させる重畳手段とを含み、この重畳手段により得られた重畳画像を表示させることを特徴とする。
【０００９】
第５の発明は上記第４の発明の画像表示装置において、隣接するフレームのずらし幅が手前のフレームになるにつれて広くなるように前記ｎ枚の画像各々に対する倍率を決定する倍率決定手段を備え、前記画像サイズ変換手段は、前記倍率決定手段により決定された各々の画像に対する倍率を用いて前記ｎ枚の画像のフレームサイズを変換することを特徴とする。
第６の発明は上記第５の発明の画像表示装置において、前記倍率決定手段は、隣接するフレームのずらし幅が手前のフレームになるにつれて広くなり、且つ前記ｎ枚の画像のずらし幅部分の面積がほぼ等しくなるように前記ｎ枚の画像各々に対する倍率を決定する手段を含むことを特徴とする。
第７の発明は上記第４の発明の画像表示装置において、画面上に同時再生する画像の枚数ｎに基づいて前記ｎ枚の画像各々に対する倍率を決定する倍率決定手段を備え、前記画像サイズ変換手段は、前記倍率決定手段により決定された各々の画像に対する倍率を用いて前記ｎ枚の画像のフレームサイズを変換することを特徴とする。
第８の発明は第４〜第７の発明の画像表示装置のいずれかにおいて、前記重畳手段は、隣接するフレームを重畳させる際、手前のフレームの全体が奥のフレームと重なるように重畳させることを特徴とする。
【００１０】
第９の発明は第４〜第８の発明の画像表示装置のいずれかにおいて、前記表示制御手段により表示されているｎ枚の画像の中から所望の画像を選択する選択手段と、この選択手段により選択された画像を画面上にフルサイズで表示する選択画像表示手段とを備えることを特徴とする。
【００１１】
第１０の発明は第４〜第９の発明の画像表示装置のいずれかにおいて、被写体を撮像し、撮像画像を出力する撮像手段を備え、前記ｎ枚の画像は、前記撮像手段から出力された撮像画像であることを特徴とする。
【００１２】
【発明の実施の形態】
＜回路構成例＞
図１は、本発明を適用した画像表示装置の一実施例としてのデジタルカメラ（電子スチルカメラ）の回路構成例を示すブロック図であり、デジタルカメラ１００は、操作部１、撮像部２、信号（画像）処理部３、制御部４、作業用メモリ（ＤＲＡＭ）５、圧縮／伸張部６、記録用メモリ７、表示部８、および液晶ディスプレイ（ＬＣＤ）９を備えている。
【００１３】
操作部１は電源スイッチや処理モード選択ボタン等の他、シャッターボタン等の撮像用ボタンまたスイッチやカーソル移動キー等を備えている。ユーザが操作部１のスイッチやボタン等を操作すると操作内容に対応した電気信号（コード）が制御部４に送られる。これにより、ユーザは制御部４にデジタルカメラ１００の起動や処理動作上必要な指示を与えることができる。
【００１４】
撮像部２は撮像レンズやレンズ駆動機構、絞り機構等の光学系と撮像レンズを介して集光された光学像を電気信号に変換するＣＣＤ等の撮像素子と、撮像素子駆動部および得られた電気信号をデジタルデータ（画像データ）に変換する信号変換部を有している。
【００１５】
信号処理部３は撮像部２からの出力を処理して、輝度信号Ｙと色差信号Ｃｂ，Ｃｒに変換しＹ，Ｃｂ，Ｃｒデータを作業用メモリ５に転送して記憶する。
また、信号処理部３はマルチ画面表示のとき複数の画像のサイズをそれぞれ異なったサイズに間引法あるいは平均法等により縮小して作業用メモリ５に確保されたマルチ画像合成用領域に順次記憶する。
【００１６】
制御部４はＣＰＵ，プログラム格納用メモリ（ＲＯＭ）および一時記憶用メモリ（ＲＯＭ）（図示せず）を備え、プログラム格納用メモリに格納された制御プログラムおよび各処理モードに対応する処理モード実行プログラム群によって、デジタルカメラ１００全体の動作制御と各処理モードでの処理の実行制御、例えば、撮像や画像の記録、再生、表示の他、本発明のマルチ画面表示やデジタルカメラ１００の各種処理モードの実行制御を行なう。
【００１７】
作業用メモリ５はＤＲＡＭ等の大容量揮発性メモリからなり、１フレーム分の画像領域や、複数の再生画像を表示するマルチ表示画像用領域等を有している。
【００１８】
圧縮／伸張部６は符号・復号器を有し、通常モードでは、撮像時には作業用メモリ５に書込まれている１フレーム分のＹ，Ｃｂ，Ｃｒデータを読み出してＪＰＥＧ圧縮処理を施して記録用メモリ７に１フレーム分の画像圧縮データとして記録する。また、再生時には記録用メモリ７に記録されていた圧縮データに伸張処理を施して１フレーム分の画像のＹ，Ｃｂ，Ｃｒデータを再生する。
【００１９】
記録用メモリ７はフラッシュメモリ或いはメモリカード等の記録媒体からなり、圧縮処理された画像データを記録する。また、１画像１ファイルとして画像管理を行なうようにした場合には画像データをファイル単位に管理する画像ファイル管理リスト領域が確保される。
【００２０】
表示部８はビデオエンコーダおよびＶＲＡＭ等の画像メモリおよび液晶ディスプレイ（ＬＣＤ）からなる表示画面を有し、作業用メモリ５から送られるＹ，Ｃｂ，Ｃｒデータをイメージ化して液晶ディスプレイ（ＬＣＤ）９上に画像表示する。
【００２１】
［マルチ画面表示］
本発明では画面を分割することなく複数の再生画像Ｇ１，Ｇ２，・・・を図３、図４，図６（ｂ）または図７に示すようにマルチ画面表示する。また、マルチ表示画面のうち所望のものを選択すると、その画像を再生してフルサイズで表示することもできる。
【００２２】
マルチ表示される画像は最後部の画像をＧ１とし、各画面Ｇ１，Ｇ２，・・Ｇ６，・・Ｇｉ（ｉ＝１〜ｎ）のずらし幅（目に見える部分の幅；すなわち、画像Ｇ１から画像Ｇ１に重畳する画像Ｇ２部分を差引いた部分の幅）をＷ１，Ｗ２，・・・，Ｗ６，・・，Ｗｉとするとき、図３に示すように各画像のずらし幅をＷ１＝Ｗ２＝Ｗ６＝・・Ｗｉとすると、一番手前の画像Ｇｉの表示面積が他の画像の表示面積より小さくなるので表示する画像の数が増すと手前の画像Ｇｉほど急速に表示面積が小さくなってみずらくなる。（図３（ａ）のＧｉ＜図３（ｂ）のＧｉ＜図３（ｃ）のＧｉ，・・）
そこで、表示する画像の数が増しても手前の画像がよく見えるように、図４に示すようにＷ１＜Ｗ２＜，・・・＜Ｗ６＜・・＜Ｗｉとして関係付ける。これにより、表示する画像数を同一として比べると一番手前の画像Ｇｉの表示面積の減少度は緩慢となる（図４のＧ４＞図３のＧ４からも明らかである）。
【００２３】
また、望ましい実施例では更に各画像の表示面積をほぼ等しくなるように各画像のサイズを決定し、決定されたサイズに縮小処理して、サイズの大きい画像にサイズの小さい画像をずらし幅がＷ１＜Ｗ２＜，・・・＜Ｗ６＜・・となるように重畳させて各画像を表示する。
【００２４】
＜マルチ画面表示時の基本動作＞
図２はデジタルカメラ１００のマルチ画面表示時の制御部の基本的動作を示すフローチャートである。
ステップＳ１：マルチ表示モード
再生画像を表示する場合にマルチ表示モードが選択されているか否かを調べ、選択されている場合にはＳ２に遷移する。マルチ表示モードが選択されていない場合には他の表示モード、例えば、フル画面表示モードやズーム表示モード等に遷移する。なお、通常表示モードをマルチ表示モードとしておき、他の表示モードが選択されない場合にはＳ２に遷移するようにしてもよい。また、パノラマ表示等のように画面分割表示に適していない表示モードの場合には選択なしにその表示モードに遷移する。
【００２５】
ステップＳ２：表示サイズの算出
再生画像を作業用メモリ５のマルチ表示画像領域に順次格納し、その数をカウントする。また、カウント値に応じて各再生画像のずらし幅面積が等しくなるように各画面のサイズを決定する。
【００２６】
本実施例では下記の算出方法により各ずらし幅部分の面積がほぼ等しくなるように表示サイズを算出しているがこれに限定されず、ずらし幅Ｗ１＜Ｗ２＜・・＜Ｗｉ（ｉ＝１〜ｎ）となるように表示サイズが決定できればよい。
【００２７】
（算出方法の説明）
図４の４つの画面Ｇ１，Ｇ２，Ｇ３，Ｇ４を例とすると、画面Ｇ１，Ｇ２，Ｇ３，Ｇ４の表示部分（目に見える部分；直近の画面に重畳されていない部分）の面積は、図４（ａ）では、
0003835010.tif 000002
となる。
【００２８】
ここで、説明上表示画面Ｇ１〜Ｇ４をそれぞれ正方形とし、その辺をそれぞれＵ１，Ｕ２，Ｕ３，Ｕ４（Ｕ１＝Ｗ１＋Ｗ２＋Ｗ３＋Ｗ４、Ｕ２＝Ｗ２＋Ｗ３＋Ｗ４、Ｕ３＝Ｗ３＋Ｗ４、Ｕ４＝Ｗ４）とすると、
画面Ｇ１，Ｇ２，Ｇ３，Ｇ４の表示部分の面積は  、
（Ｕ１2−Ｕ２2）＝（Ｕ２2−Ｕ３2）＝（Ｕ３2−Ｕ４2）＝Ｕ４2
となる（図４（ｃ））。
【００２９】
従って、マルチ表示される画面が２個の場合（図４（ａ））には、
Ｕ１2＝Ｕ１2−Ｕ２2から、Ｕ１2＝２Ｕ２2となるので、最後尾（一番外側）の画面Ｇ１の大きさを基準とすると、Ｕ１2／Ｕ２2＝２から、Ｕ１：Ｕ２＝１：（１／２）1/2となり、画面Ｇ１とＧ２の辺の長さ比は、１：（１／２）1/2、すなわち約１：０．７１となる。
【００３０】
また、マルチ表示される画面が３個の場合（図４（ｂ））には、
（Ｕ１2−Ｕ２2）＝（Ｕ２2−Ｕ３2）＝Ｕ３2から、Ｕ１2＝３Ｕ２2、Ｕ２2＝２Ｕ３2、となるので、画面Ｇ１の大きさを基準とすると、Ｕ１2／Ｕ２2＝３2、Ｕ２2／Ｕ３2＝２2から、画面Ｇ１，Ｇ２，Ｇ３辺の長さ比は、
１：（２／３）1/2：（１／３）1/2、すなわち、約１：０．８１：０．５８となる。
【００３１】
また、マルチ表示される画面が４個の場合（図４（ｃ））には、
（Ｕ１2−Ｕ２2）＝（Ｕ２2−Ｕ３2）＝（Ｕ３−Ｕ４）＝Ｕ２2から、Ｕ１2＝４Ｕ２2、Ｕ２2＝３Ｕ３2、Ｕ３2＝２Ｕ４2となるので、画面Ｇ１の大きさを基準とすると、Ｕ１2／Ｕ２2＝４1/2、Ｕ２／Ｕ３＝３1/2、Ｕ３2／Ｕ４2＝２1/2から、画面Ｇ１，Ｇ２，Ｇ３の辺の長さ比は、
１：（３／４）1/2：（２／４）1/2：（１／４）1/2、すなわち、約１：０．８７：０．７０：０．５０となる。
【００３２】
以下、同様にして、マルチ表示する画面がｎ個の場合には、
0003835010.tif 000003
が成立するので、画面Ｇ１の大きさを基準とすると、
画面Ｇ１，Ｇ２，Ｇ３，・・・，Ｇｎの辺の長さ比は、
１：(（ｎ−１）／ｎ)1/2：(（ｎ−２）／ｎ)1/2：（（ｎ−３）／ｎ）1/2：・・・：（２／ｎ）1/2：（１／ｎ）1/2となるので、上述のように比の近似値を求め、表示サイズとすることができる。そして、最後尾の画面Ｇ１を大きさの基準とし、最初にＧ１の表示サイズを決定して縮小率を求め、次の画面以降の縮小率を上記で求めた辺の比率を倍率として決定する。
【００３３】
上記例では最後尾の画面Ｇ１を基準としたが、一番手前の画面Ｇｉを基準にしてもよい。この場合には、画面Ｇｎ，Ｇｎ−１，Ｇｎ−２，・・・，Ｇ２，Ｇ１の辺の長さ比は、
１：(ｎ／（ｎ−１）)1/2：（ｎ）／（ｎ−２）)1/2：(ｎ／（ｎ−３）)1/2：・・・：（ｎ／（ｎ−１））1/2：（１／ｎ）1/2となるので、上述のように比の近似値を求め、表示サイズとすることができる。
例えば、図４（ａ）で画面Ｇ２を基準とすると画面Ｇ２とＧ１のサイズ比は約１：１．４１となる。また、図４（ｂ）で画面Ｇ３を基準とすると画面Ｇ３，Ｇ２，Ｇ１のサイズ比は約１：１．２２：１．７３となる。また、図４（ｃ）で画面Ｇ４を基準とすると画面Ｇ４，Ｇ３，Ｇ２，Ｇ１のサイズ比は１：１．１５：１．４１：１．７３となる。
【００３４】
また、本実施例では表示画面を正方形としたが、液晶ディスプレイ９の画面の縦・横比率に合うように矩形としてもよい。この場合も上述の比率を用いることができる。
【００３５】
ステップＳ３：縮小処理
上記ステップＳ２で算出した比率（以下、縮小サイズ）をもとに再生画像を縮小する。再生画像の縮小処理は作業用メモリ５のマルチ表示用画像領域に書込まれた各再生画像データとその縮小サイズ値を信号処理部３に送り間引き法或いは平均法により縮小する。縮小サイズ値は前述したように再生画像の数（すなわち、マルチ表示用画像領域に書込まれている再生画像の数）で決定される。この場合、作業用メモリ５のマルチ表示用画像領域に書込まれた画像のうち縮小サイズが最も大きい画像（マルチ画面のうち一番外側の画面（最後尾画面）に表示される画像）から順次縮小処理を行なうようにする。
【００３６】
ステップＳ４：合成表示（マルチ画面表示）
ステップＳ３で縮小された画像のうち先ずサイズが最大の画像データを表示部８に送りイメージ化してＶＲＡＭに展開する。これにより最大画面Ｇ１が液晶ディスプレイ９に表示される。次にサイズが２番目の画像データを表示部８に送りイメージ化してＶＲＡＭに展開された画像イメージに重畳させて展開する。これにより最大画面Ｇ１及びこれに重畳された画面Ｇ２が液晶ディスプレイ９に表示される。以下、同様の動作を繰り返して最小画面Ｇｎを先の画像Ｇ（ｎ−１）の画像イメージに重畳させて展開する。これによりＧ１〜Ｇｎの画面が液晶ディスプレイ９に図４（ｂ）に示すようにずれた状態でマルチ表示される。
【００３７】
なお、制御部４のＲＡＭか作業用メモリ５に図５に示すようなマルチ表示番号欄５１、格納位置欄５２、表示指定欄５３およびサイズ欄５４を有するマルチ表示テーブル５０を設け、マルチ表示画面毎にその番号をマルチ表示番号欄５１に、また、表示する画像の記憶用メモリ７上での格納位置を格納位置欄５２に、縮小サイズをサイズ欄５４に格納する（表示指定欄５３は表示指定フラグ欄であり、初期値として０（オフ）が格納されている）。
【００３８】
また、重畳させる際には表示画像のずらし幅が平行に表示されるように基準点を決めてから行なう（本実施例では基準点を画面の右下隅としたが、これに限定されず、例えば、画面の中心点を基準として同心状にマルチ表示するようにしてもよい）。
【００３９】
なお、上記重畳表示は作業用メモリ５に合成画像領域を設けてそこで重畳合成を行なってから合成画像データを表示部８に送りイメージ化してＶＲＡＭに展開し、液晶ディスプレイ９にマルチ画面として表示するようにしてもよい。
【００４０】
ステップＳ５：画面の追加
記録用メモリ７から新たに画像を読み出しマルチ画面表示する画像に追加する場合にはＳ２に戻って新たに画像サイズを算出し、Ｓ３，Ｓ４を経てその画像をマルチ画面表示する。この場合、最も最新の画像が手前（図４（ｃ）の例では画像Ｇ４）として表示される。また、記録用メモリ７から読み出す画像がなくなるか、所定数ｍを超える時、ステップＳ６に遷移する。所定数ｍは無制限にマルチ画像を表示すると液晶ディスプレイ９の画面サイズの制約により外側の画像同士のずらし幅が小さくなり、やがて単なる縞模様か枠線のように表示されて画像の判別が付かなくなる可能性があることと、一番手前の画像Ｇｎも画面が小さくなり過ぎるので、後尾画像Ｇ１のずらし幅と一番手前の画像Ｇｎとの表示面積のバランスを考慮して定められる（本実施例ではｍ＝２０としたがこれに限定されない）。
【００４１】
ステップＳ６：フルサイズ表示の指定
マルチ画面表示された画像のうちユーザが所望する画面Ｇｉの表示部分をカーソル（または、タッチペン等）でポイントするとその画面Ｇｉのマルチ表示番号ｉが取り出されると共にそのずらし幅部分（幅＝Ｗｉ）が強調表示される（図６（ｂ）参照）。ユーザが確認ボタンを操作（或いは確認用アイコンを指定）するとＳ７に遷移する。なお、この場合、制御部４のＲＡＭまたは作業用メモリ５に図５に示したマルチ表示テーブル５０のマルチ表示番号ｉの表示位置指定欄５３の値をオン（＝１）にする。
【００４２】
ステップＳ７：フルサイズ表示
上記ステップＳ６でユーザによりある画面Ｇｉ（図６（ｂ）の例では、画面Ｇ３）がフルサイズ表示指定されると、その画像のマルチ表示番号ｉを基にマルチ表示テーブル５０から、画面Ｇｉの記録用メモリ７上の格納位置を取り出して、画面Ｇｉに表示されている画像を再生し、フルサイズ画像として液晶ディスプレイ９に表示する（図６（ａ）参照）。
【００４３】
ステップＳ８：マルチ画面再表示の選択
フルサイズ表示された画像を見たユーザがマルチ画面表示に表示された他の画像を見るために次画面表示ボタンを操作（或いは、次画面表示用アイコンを指定）するとＳ９に遷移する。また、他のボタンを操作（或いは、他の両アイコンを指定）するとＳ１０に遷移する。
【００４４】
ステップＳ９：マルチ画面再表示
上記ステップＳ８でマルチ画面再表示が選択されると、作業用メモリ５のマルチ画像用領域からマルチ表示する再生画像を取り出すと共にマルチ表示テーブル５０のサイズ欄に記憶されている縮小サイズ値を取り出して前述したステップＳ３およびＳ４と同様の手順で画像の縮小及び画像合成（重畳表示）を行なって液晶ディスプレイ９にマルチ画面を再表示する。
【００４５】
ステップＳ１０：次のフルサイズ画像表示判定
ユーザが次にフルサイズ画像を見ようとする場合には、マルチ画面表示された画像のうちユーザが所望する画面Ｇｉの表示部分をポイントするとその画面のマルチ表示番号が取り出されると共にそのずらし幅部分が強調表示される。ユーザが確認ボタンを操作（或いは確認用アイコンを指定）するとＳ７に戻る。
【００４６】
なお、上記実施例においては、選択された画像あるいは全ての画像を１つのマルチ画面として表示させるようにしたが、例えば、所定枚数単位で複数のマルチ画面を作成し、スクロール操作によりマルチ画面をスクロールさせるようにしてもよい。
【００４７】
以上本発明の一実施例について説明したが、本発明は上記実施例に限定されるものではなく、種々の変形実施が可能であることはいうまでもない。
【００４８】
【発明の効果】
以上説明したように、本発明によれば、各再生画像のサイズを別にして画面をずらして表示させるので、画面を分割することなしに多くの画面を参照できるので、各画像が見やすい。
【図面の簡単な説明】
【図１】本発明を適用した画像表示装置の一実施例としてのデジタルカメラの回路構成例を示すブロック図である。
【図２】デジタルカメラのマルチ画面表示時の基本的動作を示すフローチャートである。
【図３】ずらし幅を等しくしたマルチ表示画面の説明図である。
【図４】ずらし幅を変えたマルチ表示画面の説明図である。
【図５】マルチ表示テーブルの構造例の説明図である。
【図６】フルサイズ画面とマルチサイズ画面の切替え表示の説明図である。
【図７】ずらし幅部分の面積をほぼ一定としたマルチ表示画面の説明図である。
【図８】  画面表示の従来例の説明図である。
【符号の説明】
３  信号処理部（画像サイズ変換手段）
４  画像サイズ決定手段（制御部）
８  表示部（重畳表示手段）
１００  デジタルカメラ（画像表示装置）
Ｇ１，Ｇ２，・・，Ｇｎ  マルチ画面（各画像のフレーム）
Ｗ１，Ｗ２，・・，Ｗｉ  ずらし幅
【図１】
0003835010.tif 000004
【図２】
0003835010.tif 000005
【図３】
0003835010.tif 000006
【図４】
0003835010.tif 000007
【図５】
0003835010.tif 000008
【図６】
0003835010.tif 000009
【図７】
0003835010.tif 000010
【図８】
0003835010.tif 000011